(57)【要約】【課題】    建物の開口部周辺に通気経路を確保することで、その開口部の上下の壁体内通気空間の連絡を確実にして、躯体の耐久性を向上させる。【解決手段】  柱(１)(１)間の開口部(２)における開口枠(３)を支持する開口枠下地(15)と、前記柱(１)の開口部(２)側の側面との間に木下地(30)を介装させ、この木下地(30)を室内側の木下地材(31)と室外側の木下地材(32)とに分割するとともに、室外側の木下地材(32)を、前記開口枠下地(15)の室外側に張り出すように前記柱(１)から離間する方向にずらして設けて、その室外側の木下地材(32)と柱(１)側面との間に、開口部(２)上下の壁体内通気空間(６)(７)を連絡する上下方向の通気経路(33)を形成した。【選択図】  図１
2005307443.tif 000002
【特許請求の範囲】
【請求項１】
柱間の開口部における開口枠を支持する開口枠下地と、前記柱の開口部側の側面との間に木下地を介装させ、この木下地を室内側の木下地材と室外側の木下地材とに分割するとともに、室外側の木下地材を、前記開口枠下地の室外側に張り出すように前記柱から離間する方向にずらして設けて、その室外側の木下地材と柱側面との間に、開口部上下の壁体内通気空間を連絡する上下方向の通気経路を形成したことを特徴とする建物の窓構造。
【請求項２】
前記開口枠下地は、開口枠の柱側に設けられる下地本体と、この下地本体に予め取り付けられるか又は一体に設けられた見切り材とからなり、その見切り材を、開口枠の室外側に取り付けられたサッシと開口枠との間に介装してなる請求項１記載の建物の窓構造。
【請求項３】
見切り材が、耐水性を有する合成樹脂からなっている請求項２記載の建物の窓構造。
【請求項４】
前記見切り材は、前記下地本体の室外側の端部より開口部側に向かって突出するようにして設けられ、それにより断面略Ｌ字状に形成された開口枠下地に対して、前記開口枠が、下地本体における開口部側の側面と見切り材における室内側の側面とに跨るようにして取り付けられている請求項２又は３記載の建物の窓構造。
【請求項５】
室外側の木下地材に、前記サッシを固定してなる請求項２乃至４のいずれかに記載の建物の窓構造。
【請求項６】
前記通気経路の室外側が、前記柱の室外側に設けられた構造用合板によって塞がれている請求項１乃至５のいずれかに記載の建物の窓構造。
【請求項７】
前記開口枠下地と室内側の木下地材との間に、前記開口部の横幅を調整するための間隙が形成されている請求項１乃至６のいずれかに記載の建物の窓構造。
【発明の詳細な説明】
【技術分野】
【０００１】
この発明は、主として木造住宅において、開口部周りの壁体内通気を確保するための建物の窓構造に関する。
【背景技術】
【０００２】
従来の木造住宅における開口部の納まりでは、図５に示すように、開口部(72)を囲む開口枠(73)が木製の額縁で構成されるのが一般的である。このような額縁状の開口枠(73)を用いた構造では、内壁ボード(74)の表面に張り付けられた壁クロス(75)と、開口枠(73)の室外側に取り付けられたサッシ(76)とが接触することがないため、サッシ(76)で発生する結露水が壁クロス(75)に付着する恐れはない。
【０００３】
一方、内壁ボードの表面に張り付けられる壁クロスを、開口枠の表面に巻き込むように張り付ける場合には、壁クロスとサッシとが接することとなるため、サッシで発生した結露水が壁クロスに付着して、それにより壁クロスが剥がれやすくなる懸念があった。そのような問題に鑑みて、特許文献１の図３に示された構成では、開口枠とサッシとの間に合成樹脂製の見切り材を介装させることで、サッシ側の結露水が開口枠表面の壁クロスに接触するのを防ぐことができるようになっている。
【０００４】
【特許文献１】特開２００２−３０９８５７号公報
【発明の開示】
【発明が解決しようとする課題】
【０００５】
しかし、上記の図５に示すような構造、及び特許文献１に開示された構造のいずれの場合においても、開口枠と柱との間に十分なスペースが確保されておらず、開口部周りにおいて、その開口部上下の壁体内通気空間を連絡するような通気経路を形成するのが困難であった。すなわち、開口部の上下の壁体内通気空間が、その開口部によって分断されるような状態となるため、壁体内に結露が発生しやすく躯体の耐久性が損なわれてしまう欠点があった。
【０００６】
そこで、この発明は、上記の不具合を解消して、建物の開口部周辺に通気経路を確保することで、その開口部の上下の壁体内通気空間の連絡を確実にして、躯体の耐久性を向上させることができる建物の窓構造を提供することを目的とする。
【課題を解決するための手段】
【０００７】
上記の課題を解決するため、この発明における建物の窓構造は、柱間の開口部における開口枠を支持する開口枠下地と、前記柱の開口部側の側面との間に木下地を介装させ、この木下地を室内側の木下地材と室外側の木下地材とに分割するとともに、室外側の木下地材を、前記開口枠下地の室外側に張り出すように前記柱から離間する方向にずらして設けて、その室外側の木下地材と柱側面との間に、開口部上下の壁体内通気空間を連絡する上下方向の通気経路を形成したことを特徴とする。
【０００８】
また、前記開口枠下地は、開口枠の柱側に設けられる下地本体と、この下地本体に予め取り付けられるか又は一体に設けられた見切り材とからなり、その見切り材を、開口枠の室外側に取り付けられたサッシと開口枠との間に介装してなる。さらに、見切り材が、耐水性を有する合成樹脂からなっている。
【０００９】
またさらに、前記見切り材は、前記下地本体の室外側の端部より開口部側に向かって突出するようにして設けられ、それにより断面略Ｌ字状に形成された開口枠下地に対して、前記開口枠が、下地本体における開口部側の側面と見切り材における室内側の側面とに跨るようにして取り付けられている。
【００１０】
また、室外側の木下地材に、前記サッシを固定してなる。さらに、前記通気経路の室外側が、前記柱の室外側に設けられた構造用合板によって塞がれている。
【００１１】
加えて、前記開口枠下地と室内側の木下地材との間に、前記開口部の横幅を調整するための間隙が形成されている。
【発明の効果】
【００１２】
この発明によれば、開口枠を支持する開口枠下地と柱との間に、２つに分割した木下地材を介装させ、室外側の木下地材をずらして設けることにより、開口部上下の壁体内通気空間を連絡する通気経路を確保している。従って、上下の壁体内通気空間が開口部によって分断されることがないため、開口部周りにおいても壁体内通気を確実に確保することができ、壁体内結露を防止して躯体の耐久性を向上させることができる。また、その通気経路の室外側が構造用合板によって塞がれているため、通気経路内の通気が上下方向にスムーズに流れるようにすることができる。
【００１３】
上記のように通気経路の確保に寄与する木下地は、２つの木下地材をずらして設けるだけの単純な構造からなっており、切欠き等の特別な加工を施す必要がないため、極めて生産性に優れている。しかも、それら木下地材を工場においてプレカット、プレセットすることにより、現場施工の負担を軽減することができる。また、木下地を２つの木下地材で構成することにより、単純な構造で開口枠下地との干渉を回避することができる。
【００１４】
サッシと開口枠との間に見切り材が介装されているため、サッシに発生する結露水が開口枠の表面に張り付けられた壁クロスに付着しないようになっている。従って、結露水の付着による壁クロスの剥がれを防止することができ、内装の耐久性を向上させることができる。また、見切り材は、サッシで発生する結露水と接触する恐れがあるが、耐水性を有する合成樹脂からなっているため耐久性に優れている。
【００１５】
さらに、見切り材は、開口枠下地の下地本体に対して予め取り付けられるか又は一体に設けられているため、現場施工の簡略化を図ることができる。またさらに、開口枠は、断面略Ｌ字状の開口枠下地に対して、下地本体における開口部側の側面と見切り材における室内側の側面とに跨るようにして取り付けられているため、施工時の位置決めが容易であるとともに、安定した取付け状態を実現することができる。
【００１６】
加えて、開口枠下地と室内側の木下地材との間に、開口部の横幅を調整するための間隙が形成されているため、寸法誤差が生じた場合であっても、その調整用の間隙の幅調整を行うことにより、開口部が適当な横幅となるように調整することができる。
【発明を実施するための最良の形態】
【００１７】
以下、この発明の実施形態を図面に基づいて詳細に説明する。図１乃至図４は、木造住宅に設けた小窓についての開口部(２)周りの窓構造を示しており、その開口部(２)は、例えば木製の角材からなる一対の柱(１)(１)間に設けられている。なお、図１乃至図３においては、開口部(２)を挟んだ一方の柱(１)周辺の構造のみを図示しており、その左右対称形状となる他方の柱(１)周辺の構造については図示を省略している。
【００１８】
図１に示すように、柱(１)の室外側には、構造用合板(10)が設けられている。構造用合板(10)は、柱(１)等の構造材に対してビスその他の固定具により固定されている。この構造用合板(10)のさらに室外側には、例えば軽量コンクリート板からなる外壁材(11)が設けられている。他方、柱(１)の室内側には、内壁ボード(４)が設けられている。
【００１９】
柱(１)の開口部(２)側には、開口部(２)を囲む開口枠(３)が設けられている。この開口枠(３)を支持する開口枠下地(15)と、柱(１)の開口部(２)側の側面との間には、木下地(30)が介装されている。この木下地(30)は、室内側の木下地材(31)と室外側の木下地材(32)とに分割されて設けられている。
【００２０】
これら木下地材(31)(32)は例えば角材からなっており、室外側の木下地材(32)に比べて、室内側の木下地材(31)が大きく形成されている。室内側の木下地材(31)は、室内外方向に長い断面長方形状とされ、室外側の木下地材(32)は、室内外方向に短い断面略長方形状とされている。
【００２１】
室内側の木下地材(31)と室外側の木下地材(32)とは、例えば釘(35)の打ち込みにより互いに固定されているが、その固定方法は特に限定されないものとする。また、これら木下地材(31)(32)は、工場においてプレカット及びプレセットしておくのが望ましく、それにより現場施工の簡略化を図ることができる。
【００２２】
室内側の木下地材(31)は、柱(１)の開口部(２)側の側面に当接するように設けられている。他方、室外側の木下地材(32)の柱(１)側の側面は、柱(１)に対して開口部(２)側に離れた位置に配置されている。また、室外側の木下地材(32)は、室内側の木下地材(31)と構造用合板(10)とに挟まれるようにして配置されている。さらに、室外側の木下地材(32)は、室内側の木下地材(31)の開口部(２)側の側面よりも開口部(２)側に突出するようにして配置されている。このように木下地材(31)(32)を配置することで、室内側の木下地材(31)の開口部(２)側で、且つ、室外側の木下地材(32)の室内側において、開口枠下地(15)を配置するための空間が形成されるようになっている。
【００２３】
このように、室外側の木下地材(32)は、開口枠下地(15)の室外側に張り出すように柱(１)から離間する方向にずらして設けられている。そして、室外側の木下地材(32)と柱(１)側面との間に、開口部(２)上下の壁体内通気空間(６)(７)を連絡する上下方向の通気経路(33)が形成されている。この通気経路(33)の室外側は、構造用合板(10)によって塞がれている。すなわち、通気経路(33)は、柱(１)、構造用合板(10)、室内側及び室外側の木下地材(31)(32)の各部材によって四方が囲まれた状態となっているため、通気経路(33)内において通気がスムーズに流れるようになっている。
【００２４】
これにより、壁体内の通気は、図４に示すように、開口部(２)の下側の壁体内通気空間(６)から、例えば切欠きにより窓台(41)に形成された通気連絡口(43)を通って、上記の通気経路(33)に流れ込むようになっている。さらに、その通気経路(33)に流れ込んだ通気は、その通気経路(33)内を上昇して、例えば切欠きにより窓まぐさ(42)に形成された通気連絡口(45)を通って、開口部(２)の上側の壁体内通気空間(７)へ流れるようになっている。このように、通気経路(33)を形成することにより、上下の壁体内通気空間(６)(７)が開口部(２)によって分断されないようになっていため、開口部(２)周りにおいても十分な壁体内通気を確保することができるようになっている。
【００２５】
開口枠下地(15)は、開口枠(３)の柱(１)側に設けられる下地本体(16)と、この下地本体(16)に予め取り付けられた見切り材(17)とからなっている。下地本体(16)は例えば合板からなっており、この下地本体(16)に、開口枠(３)が固定支持されるようになっている。
【００２６】
他方、見切り材(17)は、下地本体(16)の室外側の端部より開口部(２)側に向かって突出するように設けられており、それにより、開口枠下地(15)は、断面略Ｌ字状に形成されている。見切り材(17)は、例えば略角柱状に形成されており、開口部(２)側の端部において室内側に突出する突出片(18)を備えている。また、見切り材(17)の突出片(18)と下地本体(16)との間には、室内側に向かって開放する嵌合溝部(19)が形成されている。
【００２７】
見切り材(17)は、開口枠(３)の室外側に取り付けられたサッシ(20)と開口枠(３)との間に介装されるものである。この見切り材(17)は、耐水性を有する合成樹脂からなっている。従って、見切り材(17)は、サッシ(20)で発生する結露水が付着しても耐久性が損なわれないようになっている。
【００２８】
なお、下地本体(16)に対する見切り材(17)の取付けは、ビスその他の固定具のねじ込み若しくは打ち込み、又は接着剤の塗布によって行われるが、その取付け方法は特に限定されないものとする。また、場合によっては、下地本体(17)に対して、見切り材(17)を一体に設けるようにしても良いものとする。
【００２９】
この開口枠下地(15)は、例えば断面略Ｌ字状の取付金具(50)を介して室内側の木下地材(31)に固定されている。取付金具(50)は、室内外方向に沿って配置される第１取付け片(51)と、この第１取付け片(51)の室内側の端部を柱(１)側に向かって略直角に折曲してなる第２取付け片(52)とからなっている。
【００３０】
図３に示すように、第１取付け片(51)は、柱(１)側からねじ込まれたビス(53)によって、開口枠下地(15)の下地本体(16)の柱(１)側の側面に固定されている。第２取付け片(52)は、室内側からねじ込まれたビス(54)によって、室内側の木下地材(31)における室内側の側面に固定されている。ただし、これら取付け片(51)(52)の固定は、ビス(53)(54)のねじ込みによるもの以外であっても良く、特に限定されないものとする。
【００３１】
このような取付け状態において、開口枠下地(15)と室内側の木下地材(31)との間には、図２に示すように、開口部(２)の横幅を調整するための間隙(60)が形成されている。この調整用の間隙(60)は、室内側の木下地材(31)に対する取付金具(50)の取付け位置によって幅調整を行うことができ、それによって開口部(２)の横幅が調整されるため、寸法誤差に対応した施工が可能となっている。
【００３２】
開口枠(３)は、内壁ボード(４)と同様の材質からなっている。開口枠(３)は、下地本体(16)における開口部(２)側の側面と見切り材(17)における室内側の側面とに跨るようにして取り付けられている。また、開口枠(３)の室外側の端部は、開口枠下地(15)の嵌合溝部(19)に嵌め込まれている。これにより、施工時の開口枠(３)の位置決めが容易となるとともに、安定した取付け状態を実現できるようになっている。
【００３３】
この開口枠(３)は、内壁ボード(４)の開口部(２)側の端部より室外側に向かって突出するように設けられており、開口枠(３)の室内側の端面と、内壁ボード(４)の室内側の表面とが略同一面上に揃うように設けられている。
【００３４】
そして、これら内壁ボード(４)及び開口枠(３)の表面には、内壁ボード(４)と開口枠(３)とに跨るようにして壁クロス(５)が張り付けられている。このように、壁クロス(５)は、開口枠(３)の表面に巻き込まれるように張り付けられているが、サッシ(20)と開口枠(３)との間には見切り材(17)が介装されているため、サッシ(20)に発生する結露水が開口枠(３)表面の壁クロス(５)に付着しないようになっており、結露水の付着による壁クロス(５)の剥がれを防止することができるようになっている。
【００３５】
サッシ(20)は、室内側サッシ(21)と室外側サッシ(22)とが、例えば合成樹脂からなる連結部材(23)を介して連結されてなる断熱サッシである。室内側サッシ(21)は、見切り材(17)の開口部(２)側の側面に対して例えばビス(26)により固定されている。室外側サッシ(22)は、室外側の木下地材(32)における室外側の側面に対して例えばビス(27)により固定されている。
【００３６】
なお、この発明は、上記実施形態に限定されるものではなく、この発明の範囲内で上記実施形態に多くの修正及び変更を加え得ることは勿論である。
【図面の簡単な説明】
【００３７】
【図１】この発明の一実施形態に係る建物の窓構造を示す横断面図である。
【図２】同じくその要部拡大図である。
【図３】同じくその分解斜視図である。
【図４】開口部周りの壁体内通気を示す模式図である。
【図５】従来の木造住宅の窓構造を示す横断面図である。
【符号の説明】
【００３８】
(１)  柱
(２)  開口部
(３)  開口枠
(６)  上側の壁体内通気空間
(７)  下側の壁体内通気空間
(10)  構造用合板
(15)  開口枠下地
(16)  下地本体
(17)  見切り材
(20)  サッシ
(30)  木下地
(31)  室内側の木下地材
(32)  室外側の木下地材
【図１】
2005307443.tif 000003
【図２】
2005307443.tif 000004
【図３】
2005307443.tif 000005
【図４】
2005307443.tif 000006
【図５】
2005307443.tif 000007